Podtech/llm-jp-corpus-v4-ja_patent huggingface dataset:
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
ヒトにおけるアレルギー状態を治療する方法であって、以下の工程、
アレルギー状態を有するヒトを同定する工程、及び
アレルギー状態を有する前記ヒトに、クロモグリク酸ナトリウム、塩酸フェニレフリン、塩酸オキシメタゾリン、塩酸アゼラスチン及びフロ酸モメタゾンの少なくとも１つの治療に有効な量から本質的になる組成物を投与して、アレルギー状態を有する前記ヒトの該アレルギー状態を治療する工程であって、前記組成物が、該アレルギー状態を治療するためのクロモグリク酸ナトリウム、塩酸フェニレフリン、塩酸オキシメタゾリン、塩酸アゼラスチン及びフロ酸モメタゾンの前記少なくとも１つによって生じる鼻乾燥を低下するための、キシリトール、エリスリトール、マンニトール、マルチトール、ティビトール、アラビトール、リボース及びキシロースの少なくとも１つの治療に有効な量から更に本質的になる工程、
から本質的になることを特徴とする方法。
【請求項２】
前記組成物が、水溶液である請求項１に記載の方法。
【請求項３】
アレルギー状態を有する前記ヒトへの投与工程が、前記組成物を、該ヒトの鼻、目、口、及び喉のうちの少なくとも１つに送達することを介して行われる請求項１に記載の方法。
【請求項４】
前記組成物が、経鼻溶液である請求項１に記載の方法。
【請求項５】
アレルギー状態を有する前記ヒトへの投与工程が、前記ヒトの鼻に前記経鼻溶液を送達することを介して行われる、請求項４に記載の方法。
【請求項６】
前記組成物が、ゲルである、請求項４に記載の方法。
【請求項７】
アレルギー状態を有する前記ヒトへの投与工程が、ゲルを接着送達方法で送達することを介して行われる、請求項６に記載の方法。
【請求項８】
アレルギー状態を有する前記ヒトへの投与工程が、鼻噴霧瓶、ドロッパ、ミスター、アトマイザー、ブラッシ及びスワブの少なくとも１つを介して行われる請求項１に記載の方法。
【請求項９】
前記組成物が、自由に流れる低粘度の水溶液である請求項８に記載の方法。
【誤訳訂正書】
【提出日】平成29年8月28日(2017.8.28)
【誤訳訂正１】
【訂正対象書類名】特許請求の範囲
【訂正対象項目名】全文
【訂正方法】変更
【訂正の内容】
【特許請求の範囲】
【請求項１】
トランスガラクトシル化活性を有するポリペプチドであって、
ａ．配列番号１に少なくとも９０％の配列同一性を有するアミノ酸配列を含むポリペプチドであって、前記ポリペプチドが９８０個以下のアミノ酸残基からなる、ポリペプチド
ｂ．配列番号２に少なくとも９７％の配列同一性を有するアミノ酸配列を含むポリペプチドであって、前記ポリペプチドが９７５個以下のアミノ酸残基からなる、ポリペプチド
ｃ．配列番号３に少なくとも９６．５％の配列同一性を有するアミノ酸配列を含むポリペプチドであって、前記ポリペプチドが１３００個以下のアミノ酸残基からなる、ポリペプチド
ｄ．ｉ）配列番号１、２、３、４、または５のポリペプチドをコードしている配列番号９、１０、１１、１２、または１３に含まれる核酸配列あるいはｉｉ）ｉ）に相補的な配列に、少なくとも低ストリンジェンシー条件下でハイブリダイズするポリヌクレオチドによりコードされるポリペプチド
ｅ．配列番号１、２、３、４、または５のポリペプチドをコードする塩基配列に少なくとも７０％同一な塩基配列を含むポリヌクレオチドあるいは成熟ポリペプチドをコードしている配列番号９、１０、１１、１２、または１３に含まれる塩基配列を含むポリヌクレオチドにより、コードされるポリペプチド、および
ｆ．配列番号１、２、３、４、または５の１つ以上のアミノ酸残基に欠失、挿入、および／または保存的置換を含むポリペプチド
からなる群より選択されるポリペプチド。
【請求項２】
配列番号１に少なくとも９０％の配列同一性を有するアミノ酸配列を含み、９８０個以下のアミノ酸残基からなる、請求項１のポリペプチド。
【請求項３】
配列番号２に少なくとも９７％の配列同一性を有するアミノ酸配列を含み、９７５個以下のアミノ酸残基からなる、請求項１のポリペプチド。
【請求項４】
配列番号３に少なくとも９６．５％の配列同一性を有するアミノ酸配列を含み、１３００個以下のアミノ酸残基からなる、請求項１のポリペプチド。
【請求項５】
配列番号１、配列番号２、配列番号３、配列番号４、または配列番号５のアミノ酸配列からなる、請求項１乃至４のいずれか１項に記載のポリペプチド。
【請求項６】
配列番号１または配列番号２のアミノ酸配列からなる請求項１乃至５のいずれか１項に記載のポリペプチド。
【請求項７】
前記ポリペプチドが１００％より高いトランスガラクトシル化活性を有する、請求項１乃至６のいずれか１項に記載のポリペプチド。
【請求項８】
請求項１乃至７のいずれか１項に記載のポリペプチドをコードすることができる核酸配列。
【請求項９】
請求項８の核酸配列を含むか、または請求項１乃至７のいずれか１項のポリペプチドを発現することができる、発現ベクター。
【請求項１０】
請求項１乃至７のいずれか１項のポリペプチドを発現することができる細胞。
【請求項１１】
ポリペプチドを発現する方法であって、前記方法が、
請求項１０の細胞を入手する工程、
この細胞からポリペプチドを発現する工程、および
任意で、このポリペプチドを精製する工程を含む、方法。
【請求項１２】
請求項１乃至７のいずれか１項に記載のポリペプチドを含む、組成物、好ましくは、この組成物は食品組成物であり、より好ましくは、乳製品である、組成物。
【請求項１３】
ラクトースを含む基質を請求項１乃至７のいずれか１項に記載のポリペプチドで処理することによる、食品を製造する方法。
【請求項１４】
請求項１３の方法において、ラクトースを含むミルクベース基質を請求項１乃至７のいずれか１項に記載のポリペプチドで処理することによる乳製品を精製する方法。
【請求項１５】
請求項１乃至７のいずれか１項に記載のポリペプチドまたは請求項１０に記載の細胞にラクトースを含むミルクベース基質を接触させる工程を含む、ガラクトオリゴサッカライドの製造方法。
【誤訳訂正２】
【訂正対象書類名】明細書
【訂正対象項目名】００１２
【訂正方法】変更
【訂正の内容】
【００１２】
１つの側面において、本明細書において開示されるのは、配列番号（ＳＥＱ  ＩＤ  ＮＯ：）１に少なくとも９０％同一な配列を有するアミノ酸配列を含む、トランスガラクトシル化活性を有するポリペプチドである。ここにおいて、このポリペプチドはこのポリペプチドをコードする核酸配列のバチルス・スブチリス（Ｂａｃｉｌｌｕｓ  ｓｕｂｔｉｌｉｓ）ＢＧ３５９４株において発現された生成物であるとき、トランスガラクトシル化活性を有するこの核酸配列の唯一のポリペプチド発現生成物である。
【誤訳訂正３】
【訂正対象書類名】明細書
【訂正対象項目名】００３４
【訂正方法】変更
【訂正の内容】
【００３４】
トランスガラクトシル化活性の比＝（Ａｂｓ４２０＋セロビオース／Ａｂｓ４２０−セロビオース）＊１００
式中、Ａｂｓ４２０＋セロビオースは反応中にセロビオースを含む以下で説明する方法３を用いて４２０ｎｍの吸光度であり、Ａｂｓ４２０−セロビオースは反応中にセロビオースを含まない、以下で説明する方法３を用いて４２０ｎｍの吸光度である。上記の式は吸光度が０．５乃至１．０の間になるように希釈された場合に有効である。
【誤訳訂正４】
【訂正対象書類名】明細書
【訂正対象項目名】００５０
【訂正方法】変更
【訂正の内容】
【００５０】
本発明の文脈における「ミルク」の語は、牛、羊、ヤギ、バファロー、またはラクダ等の任意の哺乳動物から得られた乳分泌物であると理解される。本文脈において、「ミルクベース基質」の語は任意の生のおよび／または加工された乳物質またはミルク成分由来の物質を意味する。有用なミルクベース基質はラクトースを含む任意のミルクまたはミルク様生成物の溶液／懸濁液を含むがこれらに限定されず、全乳または低脂肪乳、スキムミルク、バターミルク、還元乳粉、コンデンスミルク、乾燥ミルクの溶液、ＵＨＴミルク、ホエイ、ホエイ透過物、酸性ホエイ、またはクリーム等がある。好ましくは、このミルクベース基質はミルクまたはスキムミルクパウダーの水溶液である。このミルクベース基質は生乳よりも濃縮されている。１つの態様において、このミルクベース基質はラクトースに対するタンパク質の割合が、少なくとも０．２、好ましくは少なくとも０．３、少なくとも０．４、少なくとも０．５、少なくとも０．６、より好ましくは少なくとも０．７である。このミルクベース基質は既知の方法で均質化および／または低温殺菌されていてもよい。
【誤訳訂正書】
【提出日】平成28年12月27日(2016.12.27)
【誤訳訂正１】
【訂正対象書類名】明細書
【訂正対象項目名】００１６
【訂正方法】変更
【訂正の内容】
【００１６】
１つの好ましい実施態様では、希土類カチオンＭｎ＋（ｎは２〜４の整数である）を、必要に応じて一部は金属酸化物及び／又はオキシ水酸化物の形で、そして必要に応じてドーピングカチオンＤｍ＋（ｍは２〜６の整数であり、Ｄは、好ましくは遷移元素または希土類金属である）を伴わせて、造影剤もしくは放射線増感剤として含むポリオルガノシロキサン（ＰＯＳ）マトリックス；全てのＭｎ＋カチオンおよび必要に応じてＤｍ＋カチオンを錯体化することができる充分な量の、共有結合−Ｓｉ−Ｃ−を介してＰＯＳマトリックスにグラフトされたキレート剤、このようにしてグラフトされたキレート剤は、Ｍｎ＋カチオンおよび必要に応じてＤｍ＋カチオンに対して過剰であるのが好ましい；および必要に応じて、ナノ粒子のターゲティングのための１種以上のターゲティング分子、該ターゲティング分子は、ＰＯＳマトリックスまたはキレート剤にグラフトされている；を含むハイブリッドナノ粒子が使用される。
【誤訳訂正２】
【訂正対象書類名】明細書
【訂正対象項目名】００３８
【訂正方法】変更
【訂正の内容】
【００３８】
１つの好ましい実施態様では、希土類カチオンＭｎ＋（ｎは２〜４の整数である）を、必要に応じて一部は金属酸化物及び／又は金属オキシ水酸化物の形で、そして必要に応じてドーピングカチオンＤｍ＋（ｍは２〜６の整数であり、Ｄは、好ましくはＭ以外の希土類金属、アクチニド、及び／又は遷移元素である）を伴わせて、造影剤もしくは放射線増感剤として含むポリオルガノシロキサン（ＰＯＳ）マトリックス；全てのＭｎ＋カチオンおよび必要に応じてＤｍ＋カチオンを錯体化することができる充分な量の、共有結合−Ｓｉ−Ｃ−を介してＰＯＳマトリックスにグラフトされたキレート剤、このようにしてグラフトされたキレート剤は、Ｍｎ＋カチオンおよび必要に応じてＤｍ＋カチオンに対して過剰であるのが好ましい；および必要に応じて、ナノ粒子のターゲティングのためのターゲティング分子、該ターゲティング分子は、ＰＯＳマトリックスまたはキレート剤にグラフトされている；を含むハイブリッドナノ粒子が使用される。
【誤訳訂正書】
【提出日】平成29年10月31日(2017.10.31)
【誤訳訂正１】
【訂正対象書類名】特許請求の範囲
【訂正対象項目名】全文
【訂正方法】変更
【訂正の内容】
【特許請求の範囲】
【請求項１】
ガス中のシロキサンレベルを減少させる方法であって、
第１の吸着剤材料の第１層であって、前記第１の吸着剤材料は、酸で洗浄された活性炭を含み、ここで、前記酸で洗浄された活性炭が３〜７のｐＨを有する、第１層、および
第２の吸着剤材料の第２層であって、前記第２の吸着剤材料は、リン酸が含浸された活性炭を含む、第２層
を含むろ材を提供する工程と、
少なくとも前記ガス中のシロキサンレベルを減少させるように、ガスを前記第１の吸着剤材料および前記第２の吸着剤材料に連続的に通す工程と
を含み、
ここで、前記第１の吸着剤材料の前記酸で洗浄された活性炭を洗浄するために使用される酸が強酸を含む、
方法。
【請求項２】
ガス中のシロキサンレベルを減少させるためのろ材であって、
第１の吸着剤材料の第１層であって、前記第１の吸着剤材料は、酸で洗浄された活性炭を含み、ここで、前記酸で洗浄された活性炭が３〜７のｐＨを有し、ここで、前記第１の吸着剤材料の前記酸で洗浄された活性炭を洗浄するために使用される酸が強酸を含む、第１層と、
第２の吸着剤材料の第２層であって、前記第２の吸着剤材料は、リン酸が含浸された活性炭を含む、第２層と
を含むろ材であって、前記第１の吸着剤材料および前記第２の吸着剤材料は、連続流路を規定するように配置される、ろ材。
【請求項３】
前記酸で洗浄された活性炭は、硝酸で酸洗浄される、請求項２に記載のろ材。
【請求項４】
前記ろ材がさらに第３の吸着剤材料を含み、前記第３の吸着剤材料が、酸性ガス除去剤が含浸された活性炭を含む、請求項２に記載のろ材。
【請求項５】
前記第１の吸着剤材料の活性炭を、硝酸を含む溶液で洗浄して前記酸で洗浄された活性炭を形成する工程をさらに含む、請求項１に記載の方法。
【誤訳訂正２】
【訂正対象書類名】図面
【訂正対象項目名】図７
【訂正方法】変更
【訂正の内容】
【図７】
2015518422.tif 000001
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
フットブレーキおよびパーキングブレーキを有する自動車においてパーキングブレーキ操作を実施するための方法であって、前記パーキングブレーキ操作のための全締付力を得るために、液圧式の力成分と機械式の力成分とが重畳される方法において、
前記２つの力成分の重畳を、パーキングブレーキ操作毎に行うことを特徴とする、パーキングブレーキ操作を実施するための方法。
【請求項２】
電気機械式の力成分を自動化されたパーキングブレーキによって生ぜしめ、電気液圧式の力成分を液圧式のフットブレーキによって生ぜしめ、この際に前記２つの力成分の発生および重畳をパーキングブレーキ操作毎に行うことを特徴とする、請求項１記載の方法。
【請求項３】
前記パーキングブレーキ操作が少なくとも１回の力増大段階（Ｐ４）を含有しており、この際に、概ねすべての力増大段階（Ｐ４）中に前記力成分の重畳を行うことを特徴とする、請求項１記載の方法。
【請求項４】
前記パーキングブレーキ操作の作動時に、第１のステップで前記電気液圧式の力成分を発生させることを特徴とする、請求項２記載の方法。
【請求項５】
パーキングブレーキ操作時に所定の液圧式の圧力を生ぜしめることを特徴とする、請求項１記載の方法。
【請求項６】
第２のステップで前記電気機械式の力成分を生ぜしめ、特に前記第２のステップを前記第１のステップの後でまたは前記第１のステップと同時に実施することを特徴とする、請求項４記載の方法。
【請求項７】
前記パーキングブレーキ操作の作動時に、第１のステップで前記液圧式のフットブレーキを作動させ、第２のステップで前記自動化されたパーキングブレーキを作動させ、特に前記第２のステップを前記第１のステップの後でまたは前記第１のステップと同時に実施することを特徴とする、請求項２記載の方法。
【請求項８】
全締付力が得られるまで、前記電気機械式の力成分の増大を実施することを特徴とする、請求項２記載の方法。
【請求項９】
全締付力が得られた後で、前記電気液圧式の力成分を得るための手段の制御を解除することを特徴とする、請求項８記載の方法。
【請求項１０】
全締付力が得られた後で、前記電気機械式の締付力を得るための手段の制御、並びに前記電気液圧式の力成分を得るための手段の制御を、概ね同時に解除することを特徴とする、請求項８記載の方法。
【請求項１１】
フットブレーキおよびパーキングブレーキを有する自動車でパーキングブレーキ操作を実施するためのコントロールユニット（９）において、
前記コントロールユニットが、請求項１から１０のいずれか１項記載の方法を実施するための手段を有している、パーキングブレーキ操作を実施するためのコントロールユニット。
【請求項１２】
液圧式のフットブレーキを有する自動車のための自動化されたパーキングブレーキにおいて、
前記パーキングブレーキが、請求項１から１０のいずれか１項記載の方法を実施するための手段を有している、自動化されたパーキングブレーキ。
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
テープ・カートリッジに記憶されたデータを複製するための方法であって、
複製すべき第１のテープ・カートリッジを第１のテープ・ドライブによって特定するステップであって、前記第１のテープ・カートリッジが前記第１のテープ・ドライブにロードされている、前記ステップと、
第２のテープ・カートリッジへ複製するために前記第１のテープ・カートリッジに記憶されているデータを前記第１のテープ・ドライブによって特定するステップであって、前記第２のテープ・カートリッジが第２のテープ・ドライブにロードされている、前記ステップと、
前記第１のテープ・カートリッジに記憶されている前記特定されたデータを、前記第１のテープ・ドライブのイニシエータ・ポートから前記第２のテープ・ドライブのターゲット・ポートへ前記第１のテープ・ドライブによって送信するステップと
を含む方法。
【請求項２】
前記第１のテープ・ドライブのターゲット・ポートを、前記第１のテープ・ドライブの前記イニシエータ・ポートとして働くように構成するステップをさらに含む、請求項１に記載の方法。
【請求項３】
前記第１のテープ・ドライブのイニシエータ・ポートを、前記特定されたデータを送信した後に前記第１のテープ・ドライブのターゲット・ポートとして働くように構成するステップをさらに含む、請求項１に記載の方法。
【請求項４】
前記第１のテープ・カートリッジのメモリ内のビットの値を、前記第１のテープ・カートリッジに記憶されているデータを複製すべきか否か示すように設定するステップをさらに含む、請求項１に記載の方法。
【請求項５】
複製すべき第１のテープ・カートリッジを第１のテープ・ドライブによって特定するステップが、
少なくとも部分的には前記第１のテープ・カートリッジのメモリ内の前記ビットの前記設定値に基づいて、前記複製すべき第１のテープ・カートリッジを前記第１のテープ・ドライブによって特定するステップを含む、請求項４に記載の方法。
【請求項６】
第２のテープ・カートリッジへ複製するために前記第１のテープ・カートリッジに記憶されているデータを前記第１のテープ・ドライブによって特定するステップが、
前記第１のテープ・カートリッジ内のメモリを読み出して第１のマーカおよび第２のマーカを特定するステップを含み、
前記第１のマーカが、前記第２のテープ・カートリッジに複製するために前記第１のテープ・カートリッジに記憶されているデータの先頭ストレージ・アドレスを定め、前記第２のマーカが、前記第２のテープ・カートリッジに複製するために前記第１のテープ・カートリッジに記憶されているデータの末尾ストレージ・アドレスを定める、請求項１に記載の方法。
【請求項７】
前記第２のテープ・カートリッジを前記第２のテープ・ドライブにロードするよう求めるリクエストを前記第１のテープ・ドライブによって送るステップをさらに含み、
前記第１のテープ・カートリッジに対応し、さらに前記第２のテープ・カートリッジに関連付けられるバーコードを読み取ることによって前記第２のテープ・カートリッジが選択される、請求項１に記載の方法。
【請求項８】
テープ・カートリッジに記憶されたデータを複製するためのコンピュータ・プログラムであって、
複製すべき第１のテープ・カートリッジを特定することであって、前記第１のテープ・カートリッジが第１のテープ・ドライブにロードされている、前記特定することを行うプログラム命令と、
第２のテープ・カートリッジへ複製するために、前記第１のテープ・カートリッジに記憶されているデータを特定することであって、前記第２のテープ・カートリッジが第２のテープ・ドライブにロードされている、前記特定することを行うプログラム命令と、
前記第１のテープ・カートリッジに記憶されている前記特定されたデータを、前記第１のテープ・ドライブのイニシエータ・ポートから前記第２のテープ・ドライブのターゲット・ポートへ送信するプログラム命令と
を第１のテープ・ドライブに実行させる、コンピュータ・プログラム。
【請求項９】
前記第１のテープ・ドライブのターゲット・ポートを、前記第１のテープ・ドライブの前記イニシエータ・ポートとして働くように構成するプログラム命令をさらに含む、請求項８に記載のコンピュータ・プログラム。
【請求項１０】
テープ・カートリッジに記憶されたデータを複製するためのコンピュータ・システムであって、
１つまたは複数のコンピュータ・プロセッサと、
１つまたは複数のコンピュータ可読ストレージ媒体と、
前記１つまたは複数のコンピュータ・プロセッサのうちの少なくとも１つによって実行されるために前記コンピュータ可読ストレージ媒体に記憶されたプログラム命令とを含み、前記プログラム命令が、
複製すべき第１のテープ・カートリッジを特定することであって、前記第１のテープ・カートリッジが第１のテープ・ドライブにロードされている、前記特定することを行うプログラム命令と、
第２のテープ・カートリッジへ複製するために、前記第１のテープ・カートリッジに記憶されているデータを特定することであって、前記第２のテープ・カートリッジが第２のテープ・ドライブにロードされている、前記特定することを行うプログラム命令と、
前記第１のテープ・カートリッジに記憶されている前記特定されたデータを、前記第１のテープ・ドライブのイニシエータ・ポートから前記第２のテープ・ドライブのターゲット・ポートへ送信するプログラム命令と
を含む、コンピュータ・システム。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
マイクロ波加熱装置（１００）であって、
負荷（１０２Ａ、１０２Ｂ）を収容するように構成されたキャビティ（１０１）と、
少なくとも１つのマイクロ波発生部（１０４）と、
少なくとも１つのマイクロ波発生部（１０４）に接続された少なくとも２つのパッチアンテナ（１０３Ａ、１０３Ｂ）であって、それぞれのパッチアンテナ（１０３Ａ、１０３Ｂ）に近接するキャビティ（１０１）内の所定の直接加熱ゾーン（１０８Ａ、１０８Ｂ）にそれぞれマイクロ波を放射するように構成された、少なくとも２つのパッチアンテナ（１０３Ａ、１０３Ｂ）と、
負荷（１０２Ａ、１０２Ｂ）が静的となり、かつ、少なくとも２つのパッチアンテナ（１０３Ａ、１０３Ｂ）に干渉が生じないかのように、少なくとも２つのパッチアンテナ（１０３Ａ、１０３Ｂ）のそれぞれのエネルギーレベルを選択するように構成された制御ユニット（１０５）と、
を備える、マイクロ波加熱装置。
【請求項２】
少なくとも１つのマイクロ波発生部は、ソリッドステートのマイクロ波発生部（１０４）を備える、請求項１に記載のマイクロ波加熱装置。
【請求項３】
少なくとも２つのパッチアンテナ（１０３）は、接地面エレメント（１１２）に対して空隙を空けて配置されたパッチエレメント（１１０）を備える、請求項１に記載のマイクロ波加熱装置。
【請求項４】
パッチエレメント（１０３）は、幅が約８．３ｃｍ、長さが約６．１２５ｃｍの長方形状である、請求項３に記載のマイクロ波加熱装置。
【請求項５】
パッチエレメント（１０３）は、幅が５ｃｍ―１０ｃｍ、長さが約５ｃｍ―１０ｃｍの長方形状である、請求項３に記載のマイクロ波加熱装置。
【請求項６】
パッチエレメント（１１０）と接地面（１１２）の間の間隔は、約６ｍｍである、請求項３に記載のマイクロ波加熱装置。
【請求項７】
パッチエレメント（１１０）と接地面（１１２）の間の間隔は、約５ｍｍ―１０ｍｍの範囲である、請求項３に記載のマイクロ波加熱装置。
【請求項８】
少なくとも２つのパッチアンテナ（１０３）のそれぞれは、アレイ状に間隔を置いて配置された複数のパッチエレメントを含む、請求項１に記載のマイクロ波加熱装置。
【請求項９】
少なくとも２つのパッチアンテナ（１０３Ａ、１０３Ｂ）は、対応するビーム幅が各パッチアンテナに近接する所定の加熱ゾーン（１０８Ａ、１０８Ｂ）に実質的に放射マイクロ波を向けるように指向性を有する、請求項１に記載のマイクロ波加熱装置。
【請求項１０】
少なくとも２つのパッチアンテナ（１０３Ａ、１０３Ｂ）は、キャビティ（１０１）の下方に配置される、請求項１に記載のマイクロ波加熱装置。
【請求項１１】
負荷（１０２Ａ、１０２Ｂ）は、少なくとも２つの別個の食品を含む、請求項１に記載のマイクロ波加熱装置。
【請求項１２】
少なくとも２つの食品は、直接加熱ゾーン（１０８Ａ、１０８Ｂ）に配置される、請求項１１に記載のマイクロ波加熱装置。
【請求項１３】
少なくとも１つのマイクロ波発生部（１０４）は、２．４ＧＨｚ―２．５ＧＨｚの範囲の周波数の電力を出力するように構成されている、請求項１に記載のマイクロ波加熱装置。
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
アレルゲン性が低く魚臭さのわずかな魚タンパク質オリゴペプチドを調製するための工業的方法であって、以下の順序で：
１）新鮮な魚肉および／または魚廃棄物を洗浄し、粉砕し、水を加えて、混合物を得る工程；
２）混合物に熱変性を施して、変性タンパク質溶液を得る工程；
３）変性タンパク質溶液を遠心分離して沈殿物を取得し、沈殿物に水を加えてすりつぶし、スラリーを得る工程；
４）スラリーのｐＨを６〜９に調整し、中性プロテアーゼ、パパインおよびアルカリプロテアーゼを順次添加して酵素分解を行い、そして酵素の不活化後、酵素加水分解物を得る工程；
５）酵素加水分解物を遠心分離し、遠心分離した上清を膜濾過して、アレルゲン性が低く魚臭さのわずかな魚タンパク質オリゴペプチドを得る工程；
を含み、
ここで、工程３）は、変性タンパク質溶液を遠心分離する前に、変性タンパク質溶液を洗浄する工程をさらに含み、変性タンパク質溶液を洗浄する工程は：
変性タンパク質溶液を予め遠心分離して沈殿物を取得し、沈殿物と水の質量対体積比が１：（１〜５）となるように水を添加して洗浄する工程
を含む、方法。
【請求項２】
工程１）における魚肉および／または魚廃棄物と水との質量対容積比が１：（１〜５）であり、工程３）における沈殿物と水との質量対体積比が１：（１〜５）である、請求項１に記載の方法。
【請求項３】
熱変性が、混合物を７５〜９５℃に加熱し、この温度を維持し、１０〜６０分間、連続的に撹拌する工程を含む、請求項１に記載の方法。
【請求項４】
中性プロテアーゼの量が１０〜１００Ｕ／ｇ、パパインの量が１０〜１００Ｕ／ｇ、アルカリプロテアーゼの量が１０〜１００Ｕ／ｇである、請求項１に記載の方法。
【請求項５】
中性プロテアーゼ、パパインおよびアルカリプロテアーゼの量比が１：（１〜３）：（１〜３）である、請求項４に記載の方法。
【請求項６】
酵素分解が３０℃〜６０℃で行われ、酵素分解の時間が２〜６時間に調節される、請求項１に記載の方法。
【請求項７】
膜濾過のために孔径が１〜１００ｎｍの濾過膜が使用される、請求項１に記載の方法。
【請求項８】
魚タンパク質オリゴペプチドが請求項１〜７のいずれか一項に記載の方法によって調製され、魚タンパク質オリゴペプチドにおけるパルブアルブミンの質量含有量が≦２００ｍｇ／ｋｇである、アレルゲン性が低く魚臭さのわずかな魚タンパク質オリゴペプチド。
【請求項９】
５０００Ｄａ未満の分子量を有するペプチドの質量含有量が＞８５％であり、１０００Ｄａ未満の分子量を有するペプチドの質量含有率が＞６０％である、請求項８に記載のアレルゲン性が低く魚臭さのわずかな魚タンパク質オリゴペプチド。
【請求項１０】
食品または医薬品における、請求項８または９に記載のアレルゲン性が低く魚臭さのわずかな魚タンパク質オリゴペプチドの使用。
【手続補正書】
【提出日】平成29年3月15日(2017.3.15)
【手続補正１】
【補正対象書類名】特許請求の範囲
【補正対象項目名】請求項１０
【補正方法】変更
【補正の内容】
【請求項１０】
前記形質転換体は、エシェリキア（Escherichia）属微生物である、請求項９に記載のシンナムアルデヒド生産用形質転換体。
【手続補正書】
【提出日】平成29年8月24日(2017.8.24)
【手続補正１】
【補正対象書類名】明細書
【補正対象項目名】００３８
【補正方法】変更
【補正の内容】
【００３８】
さらに、本発明は、重質燃料油で運転されるエンジンからの排ガス中に存在する煤、灰及び重金属を含む粒状物質を除去するためのシステムであって、
一つ又は二つ以上のろ過ユニットのそれぞれのインレットをエンジンにそれぞれ接続する一つ又は二つ以上の排ガスインレットパイプ；
該一つ又は二つ以上のろ過ユニットのそれぞれのアウトレットに接続されている一つ又は二つ以上の排ガスアウトレットパイプ；
前記一つ又は二つ以上のろ過ユニット内に配置された、煤及び炭化水素の燃焼を生じさせるための触媒を備えて触媒化された少なくとも一つのパティキュレートフィルター；
前記少なくとも一つのパティキュレートフィルターのアウトレットに配置された、前記少なくとも一つのパティキュレートフィルターで捕集された粒状物質を吹き飛ばすための空気パルス噴射装置；
を含み、そして該空気パルス噴射装置が、
前記少なくとも一つのパティキュレートフィルター中へ空気をパルス噴射するために、該少なくとも一つのパティキュレートフィルターのアウトレットに配置された、空気供給器に接続された一つ又は二つ以上の送風パイプ、該送風パイプ中のノズル及び排出装置；及び
前記少なくとも一つのパティキュレートフィルターのインレットに近接して取り付けられた、吸引源に接続されている吸引パイプ、
を含む、上記のシステムを提供する。
【手続補正２】
【補正対象書類名】明細書
【補正対象項目名】００７２
【補正方法】変更
【補正の内容】
【００７２】
フィルター１６ａ及び１６ｂ中へ、それまでの排ガスの流れとは逆向きに噴射された空気パルスにより、フィルター中に蓄積された灰及び残存量の煤がフィルターの表面から剥がれて、フィルター１６ａ及び１６ｂのアウトレットに近い穿孔グリッド２３ａ及び２３ｂへ吹き飛ばされる。吹き飛ばされた粒状物質は、そのグリッドを通ってグリッド２３ａ及び２３ｂに接続された吸引パイプ２６へ吸引される。吸引パイプ２６は、真空ポンプ（図示しない）に接続されて、外部のフィルター２４を通って粒状物質が吸引されるよう十分な吸引圧力をライン内に構築する。捕捉された粒状物質は、フィルター２４から除去されて、廃棄コンテナー２２へ輸送される。
【手続補正３】
【補正対象書類名】図面
【補正対象項目名】図２
【補正方法】変更
【補正の内容】
【図２】
2017528637.tif 000001
【手続補正４】
【補正対象書類名】特許請求の範囲
【補正対象項目名】請求項１２
【補正方法】変更
【補正の内容】
【請求項１２】
重質燃料油で運転されるエンジンからの排ガス中に存在する煤、灰及び重金属を含む粒状物質を除去するためのシステムであって、
一つ又は二つ以上のろ過ユニットのそれぞれのインレットをエンジンにそれぞれ接続する一つ又は二つ以上の排ガスインレットパイプ；
該一つ又は二つ以上のろ過ユニットのそれぞれのアウトレットに接続されている一つ又は二つ以上の排ガスアウトレットパイプ；
前記一つ又は二つ以上のろ過ユニット内に配置された、煤及び炭化水素の燃焼を生じさせるための触媒を備えた少なくとも一つのパティキュレートフィルター；
前記少なくとも一つのパティキュレートフィルターのアウトレットに配置された、前記少なくとも一つのパティキュレートフィルターで捕集された粒状物質を吹き飛ばすための空気パルス噴射装置；
を含み、そして該空気パルス噴射装置が、
前記少なくとも一つのパティキュレートフィルター中へ空気をパルス噴射するために、該少なくとも一つのパティキュレートフィルターのアウトレットに配置された、空気供給器に接続された一つ又は二つ以上の送風パイプ、該送風パイプ中のノズル及び排出装置；及び
前記少なくとも一つのパティキュレートフィルターのインレットに近接して取り付けられた、吸引源に接続されている吸引パイプ、
を含む、上記のシステム。
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
４−（３−フルオロ−３−（２−（５，６，７，８−テトラヒドロ−１，８−ナフチリジン−２−イル）エチル）ピロリジン−１−イル）−３−（３−（２−メトキシエトキシ）フェニル）ブタン酸である下記式（Ｉ）の化合物またはその塩：
【化１】
2017528507.tif 000001
【請求項２】
（Ｒ）−４−（（Ｓ）−３−フルオロ−３−（２−（５，６，７，８−テトラヒドロ−１，８−ナフチリジン−２−イル）エチル）ピロリジン−１−イル）−３−（３−（２−メトキシエトキシ）フェニル）ブタン酸：
【化２】
2017528507.tif 000002
（Ｓ）−４−（（Ｓ）−３−フルオロ−３−（２−（５，６，７，８−テトラヒドロ−１，８−ナフチリジン−２−イル）エチル）ピロリジン−１−イル）−３−（３−（２−メトキシエトキシ）フェニル）ブタン酸：
【化３】
2017528507.tif 000003
（Ｒ）−４−（（Ｒ）−３−フルオロ−３−（２−（５，６，７，８−テトラヒドロ−１，８−ナフチリジン−２−イル）エチル）ピロリジン−１−イル）−３−（３−（２−メトキシエトキシ）フェニル）ブタン酸： 
【化４】
2017528507.tif 000004
（Ｓ）−４−（（Ｒ）−３−フルオロ−３−（２−（５，６，７，８−テトラヒドロ−１，８−ナフチリジン−２−イル）エチル）ピロリジン−１−イル）−３−（３−（２−メトキシエトキシ）フェニル）ブタン酸：
【化５】
2017528507.tif 000005
である、式（ＩＡ１）、（ＩＡ２）、（ＩＡ３）または（ＩＡ４）から選択される式を有する、請求項１に記載の式（Ｉ）の化合物またはその薬学的に許容可能な塩。
【請求項３】
（Ｓ）−４−（（Ｓ）−３−フルオロ−３−（２−（５，６，７，８−テトラヒドロ−１，８−ナフチリジン−２−イル）エチル）ピロリジン−１−イル）−３−（３−（２−メトキシエトキシ）フェニル）ブタン酸：
【化６】
2017528507.tif 000006
である式を有する、請求項１に記載の式（Ｉ）の化合物またはその薬学的に許容可能な塩。
【請求項４】
請求項１〜３のいずれか一項に記載の式（Ｉ）の化合物またはその薬学的に許容可能な塩と、１種以上の薬学上許容可能な担体、希釈剤または賦形剤とを含んでなる、医薬組成物。
【請求項５】
経口投与用に適合させた形態である、請求項４に記載の医薬組成物。
【請求項６】
αｖβ６受容体アンタゴニストが指示される疾患または病態の治療において使用するための、請求項４または５に記載の医薬組成物。
【請求項７】
線維性疾患の治療において使用するための、請求項４または５に記載の医薬組成物。
【請求項８】
線維性疾患の予防において使用するための、請求項４または５に記載の医薬組成物。
【請求項９】
特発性肺線維症の治療において使用するための、請求項４または５に記載の医薬組成物。
【請求項１０】
特発性肺線維症の予防において使用するための、請求項４または５に記載の医薬組成物。
【請求項１１】
ヒトにおけるαｖβ６受容体の拮抗作用が有益である障害の治療のための、請求項４または５に記載の医薬組成物。
【請求項１２】
ヒトにおけるαｖβ６受容体の拮抗作用が有益である障害の予防のための、請求項４または５に記載の医薬組成物。
【請求項１３】
治療するための薬剤の製造における、請求項１〜３のいずれか一項に記載の式（Ｉ）の化合物またはその薬学的に許容可能な塩の使用。
【請求項１４】
αｖβ６受容体アンタゴニストが指示される疾患または病態を治療するための薬剤の製造における、請求項１〜３のいずれか一項に記載の式（Ｉ）の化合物またはその薬学的に許容可能な塩の使用。
【請求項１５】
線維性疾患の治療のための薬剤の製造における、請求項１〜３のいずれか一項に記載の式（Ｉ）の化合物またはその薬学的に許容可能な塩の使用。
【請求項１６】
特発性肺線維症の治療のための薬剤の製造における、請求項１〜３のいずれか一項に記載の式（Ｉ）の化合物またはその薬学的に許容可能な塩の使用。
【請求項１７】
請求項１〜３のいずれか一項に記載の式（Ｉ）の化合物またはその薬学的に許容可能な塩と、少なくとも１種の他の薬学上活性な薬剤とを含んでなる、組合せ。
【請求項１８】
治療において使用するための、請求項１７に記載の組合せ。
【請求項１９】
他の薬学上活性な薬剤がＴＧＦβ合成の阻害剤である、請求項１７または１８に記載の組合せ。
【請求項２０】
他の薬学上活性な薬剤がピルフェニドンである、請求項１７または１８に記載の組合せ。
【請求項２１】
他の薬学上活性な薬剤がニンテダニブ（ＢＩＢＦ−１１２０）である、請求項１７または１８に記載の組合せ。
【請求項２２】
他の薬学上活性な薬剤が抗αｖβ６抗体である、請求項１７または１８に記載の組合せ。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
活性成分として、（ａ）９，１０−ジメトキシ−２−（２，４，６−トリメチルフェニルイミノ）−３−（Ｎ−カルバモイル−２−アミノエチル）−３，４，６，７−テトラヒドロ−２Ｈ−ピリミド［６，１−ａ］イソキノリン−４−オン又はその医薬上許容される酸付加塩であるＰＤＥ３／ＰＤＥ４阻害剤、及び（ｂ）ムスカリン受容体拮抗薬を含む医薬組成物。
【請求項２】
ＰＤＥ３／ＰＤＥ４阻害剤（ａ）が、９，１０−ジメトキシ−２−（２，４，６−トリメチルフェニルイミノ）−３−（Ｎ−カルバモイル−２−アミノエチル）−３，４，６，７−テトラヒドロ−２Ｈ−ピリミド［６，１−ａ］イソキノリン−４−オンである請求項１の医薬組成物。
【請求項３】
ムスカリン受容体拮抗薬（ｂ）が、アトロピン、ヒヨスチン、グリコピロレート、イプラトロピウム、チオトロピウム、オキシトロピウム、ピレンゼピン、テレンゼピン、アクリジニウム又はウメクリジニウムである請求項１又は２に記載の医薬組成物。
【請求項４】
ムスカリン受容体拮抗薬（ｂ）が、アトロピン、イプラトロピウムブロミド又はチオトロピウムブロミドである請求項１〜３の何れか１項に記載の医薬組成物。
【請求項５】
固定された組み合わせである請求項１〜４の何れか１項に記載の医薬組成物。
【請求項６】
請求項１〜５の何れか１項に記載の組成物、及び１以上の医薬上許容される担体、希釈剤又は賦形剤を含む医薬組成物。
【請求項７】
乾燥粉末インヘラー（ＤＰＩ）又は定量インヘラー（ＭＤＩ）により投与するための請求項６に記載の医薬組成物。
【請求項８】
（ｉ）急性又は慢性の血管又は気管支の閉塞或いは（ｉｉ）急性又は慢性の炎症に基づく疾患又は状態の治療のための医薬製剤であって、
（ａ）請求項１又は２に記載のＰＤＥ３／ＰＤＥ４阻害剤を含む製剤、及び（ｂ）請求項１、３又は４の何れか１項に記載のムスカリン受容体拮抗薬を含む製剤、を含むキットの形態である、医薬製剤。
【請求項９】
（ｉ）急性又は慢性の血管又は気管支の閉塞或いは（ｉｉ）急性又は慢性の炎症に基づく疾患又は状態の治療のための医薬製剤であって、
活性成分として、（ａ）請求項１又は２に記載のＰＤＥ３／ＰＤＥ４阻害剤及び（ｂ）請求項１、３又は４の何れか１項に記載のムスカリン受容体拮抗薬を含み、（ａ）及び（ｂ）を、同時に、別々に或いは連続的に投与するための、医薬製剤。
【請求項１０】
（ｉ）急性又は慢性の血管又は気管支の閉塞或いは（ｉｉ）急性又は慢性の炎症に基づく疾患又は状態の治療のための医薬製剤であって、
活性成分として（ａ）請求項１又は２に記載のＰＤＥ３／ＰＤＥ４阻害剤を含み、及び
（ｂ）請求項１、３又は４の何れか１項に記載のムスカリン受容体拮抗薬と組合せて使用するための、医薬製剤。
【請求項１１】
（ｉ）急性又は慢性の血管又は気管支の閉塞或いは（ｉｉ）急性又は慢性の炎症に基づく疾患又は状態の治療のための医薬製剤であって、
活性成分として（ｂ）請求項１、３又は４の何れか１項に記載のムスカリン受容体拮抗薬を含み、及び
（ａ）請求項１又は２に記載のＰＤＥ３／ＰＤＥ４阻害剤と組合せて使用するための、医薬製剤。
【請求項１２】
疾患又は状態が、喘息、アレルギー性喘息、花粉症、アレルギー性鼻炎、気管支炎、肺気腫、気管支拡張症、慢性閉塞性肺疾患（ＣＯＰＤ）、成人性呼吸窮迫症候群（ＡＲＤＳ）、ステロイド抵抗性喘息、重症喘息、小児喘息、嚢胞性線維症、肺線維症（ｌｕｎｇ  ｆｉｂｒｏｓｉｓ）、肺線維症（ｐｕｌｍｏｎａｒｙ  ｆｉｂｒｏｓｉｓ）、間質性肺疾患、皮膚障害、アトピー性皮膚炎、乾癬、眼炎症、脳虚血、又は自己免疫疾患である請求項８〜１１の何れか１項に記載の医薬製剤。
【請求項１３】
疾患又は状態が、喘息又は慢性閉塞性肺疾患（ＣＯＰＤ）である請求項８〜１２の何れか１項に記載の医薬製剤。
【請求項１４】
請求項９、１２又は１３の何れか１項に記載の疾患又は状態の治療において、（ｂ）請求項１、３又は４の何れか１項に記載のムスカリン受容体拮抗薬と組み合わせて同時に、別々に或いは連続的に使用するための医薬の製造における、（ａ）請求項１又は２に記載のＰＤＥ３／ＰＤＥ４阻害剤の使用。
【請求項１５】
請求項９、１２又は１３の何れか１項に記載の疾患又は状態の治療において、（ａ）請求項１又は２に記載のＰＤＥ３／ＰＤＥ４阻害剤と組み合わせて同時に、別々に或いは連続的に使用するための医薬の製造における、（ｂ）請求項１、３又は４の何れか１項に記載のムスカリン受容体拮抗薬の使用。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
幹細胞療法による処置に適した疾患の処置で使用するための、幹細胞の集団およびブレビスタチンを含む組成物。
【請求項２】
前記疾患が、糖尿病の結果である疾患、アテローム性動脈硬化症の結果である疾患、血管疾患、末梢動脈疾患(PAD)の群から選択される、請求項1記載の使用のための組成物。
【請求項３】
前記疾患が、約0.9もしくは0.9未満の足関節上腕血圧比、または約0.7もしくは0.7未満の足関節上腕血圧比に関連する、請求項1または2記載の使用のための組成物。
【請求項４】
前記疾患が重症虚血肢をもたらしている、および／または疾患が皮膚の潰瘍または壊疽をもたらしている、請求項1〜3のいずれか一項記載の使用のための組成物。
【請求項５】
細胞の集団の一部が多能性細胞を含む、および／または多能性細胞が人工多能性幹細胞である、および／または細胞の集団の一部が複能性細胞を含む、および／または複能性細胞が複能性間質細胞もしくは間葉系幹細胞である、および／または複能性細胞が人工多能性幹細胞由来である、請求項１〜4のいずれか一項記載の使用のための組成物。
【請求項６】
幹細胞がMSCである、請求項1〜5のいずれか一項記載の使用のための組成物。
【請求項７】
a.  ブレビスタチン； 
b.  薬学的に許容される担体；
c.  幹細胞の集団；および
d.  任意で、心血管疾患と診断された患者に項目(a)〜(c)を投与するための説明書；
を含む、幹細胞療法による処置に適した疾患を処置するためのキット。
【請求項８】
前記細胞が多能性細胞である、請求項7記載のキット。
【請求項９】
前記細胞がMSCである、請求項7記載のキット。
【手続補正２】
【補正対象書類名】明細書
【補正対象項目名】００２６
【補正方法】変更
【補正の内容】
【００２６】
これらの局面のある特定の態様において、細胞はMSCである。他の態様において、NMIIアンタゴニストはブレビスタチンである。いっそうさらなる態様において、疾患は心血管疾患である。
[本発明1001]
幹細胞療法による処置に適した疾患の処置で使用するための、細胞の集団および非筋肉型ミオシンIIアンタゴニストを含む組成物。
[本発明1002]
前記疾患が、糖尿病の結果である疾患、アテローム性動脈硬化症の結果である疾患、血管疾患、末梢動脈疾患(PAD)の群から選択される、本発明1001の組成物。
[本発明1003]
前記疾患が、約0.9もしくは0.9未満の足関節上腕血圧比、または約0.7もしくは0.7未満の足関節上腕血圧比に関連する、本発明1001または1002の組成物。
[本発明1004]
前記疾患が重症虚血肢をもたらしている、および／または疾患が皮膚の潰瘍または壊疽をもたらしている、本発明1001〜1003のいずれかの組成物。
[本発明1005]
細胞の集団の一部が多能性細胞を含む、および／または多能性細胞が人工多能性幹細胞である、および／または細胞の集団の一部が複能性細胞を含む、および／または複能性細胞が複能性間質細胞もしくは間葉系幹細胞である、および／または複能性細胞が人工多能性幹細胞由来である、本発明1001〜1004のいずれかの組成物。
[本発明1006]
患者の肢の機能が、組成物を受けていない同じ患者と比べて約もしくは少なくとも2〜3グレード改善する、および／または患者の肢の血流が、未処置の肢の血流の約もしくは少なくとも65〜85％まで改善する、および／または患者の虚血性傷害が、組成物を受けていない同じ患者と比べて約もしくは少なくとも2、3、もしくは4グレード改善する、本発明1001〜1005のいずれかの組成物。
[本発明1007]
非筋肉型ミオシンIIアンタゴニストが、
非筋肉型ミオシンII遺伝子および／またはタンパク質の発現をノックダウンすることを目的としたsiRNA、
siRNAをコードするDNAベクター、
非筋肉型ミオシンII遺伝子および／またはタンパク質の発現をノックダウンすることを目的としたmiRNAまたはアンチセンスRNA、
アンジオテンシンII受容体アンタゴニストまたはアンジオテンシン受容体遮断薬、
アンジオテンシン変換酵素(ACE)阻害剤、
2,3-ブタンジオン-2-モノオキシム(BDM)、
ブレビスタチン、またはその類似体、誘導体、もしくは変異体、
ピロリジノン誘導体、ならびに
ピロリジノンのクラス由来の分子
の群から選択される、本発明1001〜1006のいずれかの組成物。
[本発明1008]
a.  非筋肉型ミオシンIIアンタゴニスト； 
b.  任意で薬学的に許容される担体；および
c.  任意で、心血管疾患と診断された患者に項目(a)〜(c)を投与するための説明書；
d.  複能性細胞の集団
を含む、幹細胞療法による処置に適した疾患を処置するためのキット。
[本発明1009]
前記細胞がMSCである、本発明1008のキット。
[本発明1010]
非筋肉型ミオシンIIアンタゴニストがブレビスタチンである、本発明1008または1009のキット。
[本発明1011]
複能性細胞の集団および非筋肉型ミオシンIIアンタゴニストを含む、幹細胞療法による処置に適した疾患を処置するための幹細胞組成物。
[本発明1012]
前記細胞がMSCである、本発明1011の組成物。
[本発明1013]
非筋肉型ミオシンIIアンタゴニストがブレビスタチンである、本発明1011または1012の組成物。
[本発明1014]
複能性細胞の集団および非筋肉型ミオシンIIアンタゴニストを含む幹細胞療法による処置に適した疾患を処置するための幹細胞組成物を作製する方法であって、複能性細胞の集団およびNMIIアンタゴニストが、患者への投与の前に一定期間一緒にインキュベートされる、前記方法。
[本発明1015]
幹細胞療法による治癒および処置に適した疾患の治癒過程で使用するための、複能性細胞の集団および非筋肉型ミオシンIIアンタゴニストを含む組成物であって、非筋肉型ミオシンIIアンタゴニストを含まない同様の組成物より早い疾患の治癒をもたらす、前記組成物。
[本発明1016]
前記細胞がMSCであり、および／またはNMIIアンタゴニストがブレビスタチンであり、および／または疾患が心血管疾患である、本発明1015の組成物。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
少なくとも１種のフッ素化アルカンの製造方法であって、
（ａ）式（Ｉ）：
（ＣＸｎＹ３−ｎ）（ＣＲ１ａＲ２ｂ）ｚＣＸ＝ＣＨｍＸ２−ｍ  （Ｉ）
に従う少なくとも１種のアルケン、および式（ＩＩ）：
（ＣＸｎＹ３−ｎ）（ＣＲ１ａＲ２ｂ）ｚＣＨＸＣＨｍ＋１Ｘ２−ｍ  （ＩＩ）
に従う少なくとも１種のアルカン
［式中、Ｘはそれぞれ独立してＣｌ、Ｆ、Ｉ、またはＢｒであり、但し、少なくとも２個のＸはＦであり；
Ｙはそれぞれ独立してＨ、Ｃｌ、Ｆ、Ｉ、またはＢｒであり；
Ｒ１はそれぞれ独立してＨ、Ｃｌ、Ｆ、Ｉ、Ｂｒ、または非置換かハロゲン置換のメチル基もしくはエチル基であり；
Ｒ２はそれぞれ独立してＨ、Ｃｌ、Ｆ、Ｉ、Ｂｒ、または非置換かハロゲン置換のメチル基もしくはエチル基であり；
ｎは１、２、または３であり；
ａおよびｂはそれぞれ０、１、または２であり、但し、ａ＋ｂ＝２であり；
ｍは０、１、または２であり；および
ｚは０、１、２、または３である］
を含む出発材料流を準備する工程；
（ｂ）前記出発材料流を還元剤に接触させることで前記出発材料流を水素化し、式Ｉのアルケンの少なくとも一部が式ＩＩのアルカンに転換されるような中間材料流を生成する工程；
（ｃ）前記中間生成物流の一部を少なくとも、式Ｉのアルケンおよび式ＩＩのアルカンを含む第１中間生成物流と、式Ｉのアルケンおよび式ＩＩのアルカンを含む第２中間生成物流に分離する工程；
（ｄ）前記第１中間生成物流を工程（ｂ）に再循環させる工程；および
（ｅ）前記第２中間生成物流を水素化して最終生成物流を生成する工程
を含む製造方法。
【請求項２】
前記式Ｉのアルケンがヘキサフルオロプロピレンまたは１，２，３，３，３−ペンタフルオロプロペンおよび前記式ＩＩのアルカンが１，１，１，２，３，３−ヘキサフルオロプロパンまたは１，１，１，２，３−ペンタフルオロプロパンを含む、請求項１に記載の方法。
【請求項３】
前記最終生成物流を脱ハロゲン化水素化して、式Ｉの第２フッ素化オレフィンを生成する工程を更に含み、前記式Ｉの第２フッ素化オレフィンが前記工程（ａ）のフッ素化オレフィンよりも１個少ないフッ素原子を有する、請求項１に記載の方法。
【手続補正２】
【補正対象書類名】明細書
【補正対象項目名】００８７
【補正方法】変更
【補正の内容】
【００８７】
実施例８：１，２，３，３，３−ペンタフルオロプロペン−第２段階の反応の検討
[0081]実施例５からの反応器流出流を、供給流中のオレフィンの合計量に比べてＨ２のわずかな化学量論的過剰量とともに第２水素化反応器に供給する。反応器の設計は実施例５〜７で用いたものと同じである。反応器に約２３グラム（５０ｃｃ）のアルドリッチ社の１％Ｐｄ／Ｃ触媒を充填し、加熱のため、その周囲に電気加熱テープと断熱材を設ける。触媒は実施例５〜７と同様に前処理する。有機物供給流は約６．８ＧＣ面積％のＨＦＰを含み、０．５５ポンド／時の速度で供給される。反応器は１００℃の圧力および約４００ｐｓｉｇの圧力で作動させる。反応器流出物をＧＣによって分析し、わずか０．１％の
１２２５ｙｅＥおよび１２２５ｙｅＺを含むことが分かる。所望の１，１，１，２，３−ペンタフルオロプロパン（２４５ｅｂ）生成物への選択率は＞９８．０％である。
以下に実施態様を記載する。
態様１
少なくとも１種のフッ素化アルカンの製造方法であって、
（ａ）式（Ｉ）：
（ＣＸｎＹ３−ｎ）（ＣＲ１ａＲ２ｂ）ｚＣＸ＝ＣＨｍＸ２−ｍ  （Ｉ）
に従う少なくとも１種のアルケン、および式（ＩＩ）：
（ＣＸｎＹ３−ｎ）（ＣＲ１ａＲ２ｂ）ｚＣＨＸＣＨｍ＋１Ｘ２−ｍ  （ＩＩ）
に従う少なくとも１種のアルカン
［式中、Ｘはそれぞれ独立してＣｌ、Ｆ、Ｉ、またはＢｒであり、但し、少なくとも２個のＸはＦであり；
Ｙはそれぞれ独立してＨ、Ｃｌ、Ｆ、Ｉ、またはＢｒであり；
Ｒ１はそれぞれ独立してＨ、Ｃｌ、Ｆ、Ｉ、Ｂｒ、または非置換かハロゲン置換のメチル基もしくはエチル基であり；
Ｒ２はそれぞれ独立してＨ、Ｃｌ、Ｆ、Ｉ、Ｂｒ、または非置換かハロゲン置換のメチル基もしくはエチル基であり；
ｎは１、２、または３であり；
ａおよびｂはそれぞれ０、１、または２であり、但し、ａ＋ｂ＝２であり；
ｍは０、１、または２であり；および
ｚは０、１、２、または３である］
を含む出発材料流を準備する工程；
（ｂ）前記出発材料流を還元剤に接触させることで前記出発材料流を水素化し、式Ｉのアルケンの少なくとも一部が式ＩＩのアルカンに転換されるような中間材料流を生成する工程；
（ｃ）前記中間生成物流の一部を少なくとも、式Ｉのアルケンおよび式ＩＩのアルカンを含む第１中間生成物流と、式Ｉのアルケンおよび式ＩＩのアルカンを含む第２中間生成物流に分離する工程；
（ｄ）前記第１中間生成物流を工程（ｂ）に再循環させる工程；および
（ｅ）前記第２中間生成物流を水素化して最終生成物流を生成する工程
を含む製造方法。
態様２
前記還元剤がＨ２である、態様１に記載の方法。
態様３
前記出発材料供給流のフッ素化アルケンとフッ素化アルカンの比率が約１：８〜約１：２０である、態様１に記載の方法。
態様４
工程（ｂ）における前記出発材料供給流中のフッ素化アルケンの転換率が約３５重量％〜約６５重量％である、態様１に記載の方法。
態様５
工程（ｂ）に前記第１中間生成物流を再循環させる前に、その中の前記フッ素化アルケンと前記フッ素化アルカンの比率を調整する工程を更に含む、態様１に記載の方法。
態様６
前記第１中間生成物のフッ素化アルケンとフッ素化アルカンの比率が約１：８〜約１：２０である、態様５に記載の方法。
態様７
前記最終生成物流が２０ｐｐｍ未満の式Ｉのフッ素化アルケンおよび／または２００ｐｐｍ未満の式Ｉのフッ素化アルケンを含む、態様１に記載の方法。
態様８
前記式Ｉのアルケンがヘキサフルオロプロピレンまたは１，２，３，３，３−ペンタフルオロプロペンおよび前記式ＩＩのアルカンが１，１，１，２，３，３−ヘキサフルオロプロパンまたは１，１，１，２，３−ペンタフルオロプロパンを含む、態様１に記載の方法。
態様９
前記最終生成物流を脱ハロゲン化水素化して、式Ｉの第２フッ素化オレフィンを生成する工程を更に含み、前記式Ｉの第２フッ素化オレフィンが前記工程（ａ）のフッ素化オレフィンよりも１個少ないフッ素原子を有する、態様１に記載の方法。
態様１０
前記水素化工程（ａ）および／または（ｅ）が液相反応で、およびパラジウム炭素、Ｐｄ／α−Ａｌ２Ｏ３、Ｎｉ／Ｃ、およびＮｉ／Ａｌ２Ｏ３からなる群から選択されるアルミニウム触媒の存在下で行われる、態様１に記載の方法。